Podtech/llm-jp-corpus-v4-ja_patent huggingface dataset:
(57)【要約】  リフレクターの本体（1）の各端部に固定用の耳を取付けたスポーク用リフレクターであって、小さな耳（3）と大きな耳（2）を含み、取付け時にこれら耳の間にスポークを受入れる。大きな耳（2）の両側部に横方向の溝（7）を備え、大きな耳（2）の両端部にくぼみを付けた突出部（4）を備え、小さな耳（3）の中央部にくぼみ（5）を有する突出部（6）を備えた。
2007516899.tif 000002
【特許請求の範囲】
【請求項１】
リフレクターの本体（1）の各端部に固定用の耳を取付けたスポーク用リフレクターであって、小さな耳（3）と大きな耳（2）を含み、取付け時にこれら耳の間にスポークを受入れるようにし、
前記大きな耳（2）の両側部に横方向の溝（7）を備え、前記大きな耳（2）の両端部にくぼみを付けた突出部（4）を備え、前記小さな耳（3）の中央部にくぼみ（5）を有する突出部（6）を備えたことを特徴とするスポーク用リフレクター。
【請求項２】
前記リフレクターの本体（1）の向かい合う端部に取付けられる前記耳（2、3）は、互いに鏡像関係となるように取付けられることを特徴とする請求項１に記載のスポーク用リフレクター。
【請求項３】
前記横方向の溝（7）により、前記大きな耳（2）の端部を曲げやすくしたことを特徴とする請求項１に記載のスポーク用リフレクター。
【請求項４】
前記大きな耳（2）と前記小さな耳（3）の夫々の前記突出部（4、6）に備えられる溝（9）に、前記スポークを受入れることを特徴とする請求項１に記載のスポーク用リフレクター。
【請求項５】
前記大きな耳と前記小さな耳の構成は、夫々、様々な厚さの前記スポークに対して前記リフレクターを取付けることを可能にしたことを特徴とする請求項１に記載のスポーク用リフレクター。
【請求項６】
前記大きな耳の外側の端部の中央につめ（8）を取付けて、前記スポークが定位置に保持されることを保つようにしたことを特徴とする請求項１に記載のスポーク用リフレクター。
【発明の詳細な説明】
【技術分野】
【０００１】
本発明は、自転車のスポーク上に配置され、各端部に夫々、大きな耳（ラグ）と小さな耳を備えるようにリフレクターの本体を構成した、スポーク用リフレクターに関する。
【背景技術】
【０００２】
従来技術のスポーク用リフレクターでは、きつい固定用の耳のため、リフレクターの取付けと解除が困難であった。また、従来技術のリフレクターは、より確実にスポークを保持させるために突出部を備えて、突出部に備える溝のくぼみの間にスポークを一体に固定させていなかった。従来技術のスポーク用リフレクターは、より複雑な固定手段を用いることを必要としており、この取付けには、例えば、スポークの両側でねじや同様物を用いて固定用の耳を挟持させることを必要としていた。
【発明の開示】
【発明が解決しようとする課題】
【０００３】
本発明は、以上の点に鑑みて、取付けと解除を容易にしたスポーク用リフレクターを提供することを目的とするものである。
【課題を解決するための手段】
【０００４】
本発明に係るスポーク用リフレクターは、大きな耳の両側に横の溝を備えることで、この耳の端部を曲げやすくさせ、また、大きな耳の両端部にくぼみを付けた突出部を備え、小さな耳の中央にくぼみを付けた突出部を備えることを特徴とする。そして、本発明に係るスポーク用リフレクターは、リフレクターの取付けと解除を容易にした構成を有する。さらに、この構成は、本発明に係るスポーク用リフレクターが、様々の厚さのスポークに対して取付けられることを可能にする。
以下、本明細書に添付した図を参照して、本発明に係る好適な実施形態について説明する。
【発明を実施するための最良の形態】
【０００５】
本発明はスポーク用リフレクターに関し、リフレクターの本体１の両端部に固定用の耳を取付けるが、この耳には小さな耳３と大きな耳２が含まれ、これら耳の間にスポークを受入れるようにしている。大きな耳２は両側部に横方向の溝７を有し、また大きな耳は両端部にくぼみ５を有する突出部４を備え、小さな耳３の中央にくぼみ５を有する突出部６を備えている。
【０００６】
リフレクターの本体１の向かい合う端部に備えられる耳２、３は、互いに鏡像関係となるように取付けられている。
【０００７】
横方向の溝７により、大きな耳２の端部を曲げやすくしている。
【０００８】
大きな耳２と小さな耳３の夫々の突出部４、６に備えられる溝９に、スポークを受入れている。
【０００９】
大きな耳と小さな耳３の構成は、夫々、様々な厚さのスポークに対してリフレクターを取付けられるようにしている。
【００１０】
大きな耳２の外側の端部の中央につめ８を取付けて、スポークが定位置に保持されることを保つようにしている。
【００１１】
以上、本発明の最も効果的な実施形態について説明した。しかしながら、本発明は、この形態のみに限定されず、特許請求の範囲内において、様々に変化することができる。
【図面の簡単な説明】
【００１２】
【図１】本発明に係るスポーク用リフレクターの側面図である。
【図２】本発明に係るスポーク用リフレクターを端部から眺めた図である。
【図３】本発明に係るスポーク用リフレクターの斜め上方からの斜視図である。
【図４】本発明に係るスポーク用リフレクターの平面図である。
【符号の説明】
【００１３】
１          リフレクターの本体
２          大きな耳
３          小さな耳
４、６      突出部
５          くぼみ
７          横方向の溝
８          つめ
９          溝
【図１】
2007516899.tif 000003
【図２】
2007516899.tif 000004
【図３】
2007516899.tif 000005
【図４】
2007516899.tif 000006
【国際調査報告】
2007516899.tif 000007
2007516899.tif 000008
(57)【要約】  ディスク形状の被加工物を生成するためのこの発明の方法は、第１および第２のディスク形状の基板を生成するステップと、当該第１の基板の平坦な面の１つ上に少なくとも部分的に第１の接着剤を塗布するステップと、当該第１の接着剤を硬化するステップと、当該第１または第２の基板の平坦な面の少なくとも１つ上に少なくとも部分的に第２の接着剤を塗布するステップと、当該基板を接合して当該ディスク形状の被加工物を形成するステップとを含む。
2007538348.tif 000002
【特許請求の範囲】
【請求項１】
ディスク形状の被加工物を生成するための方法であって、
ａ）第１および第２のディスク形状の基板を生成するステップと、
ｂ）前記第１の基板の平坦な面の１つ上に少なくとも部分的に第１の接着剤を塗布するステップと、
ｃ）前記第１の接着剤を硬化するステップと、
ｄ）前記第１または第２の基板の平坦な面の少なくとも１つ上に少なくとも部分的に第２の接着剤を塗布するステップと、
ｅ）前記基板を接合して前記ディスク形状の被加工物を形成するステップとを含む、方法。
【請求項２】
ｆ）前記ディスク形状の被加工物を硬化するステップをさらに含む、請求項１に記載の方法。
【請求項３】
第１の接着剤は、良好な複製の特性を提供するように適合される、請求項１または２に記載の方法。
【請求項４】
第２の接着剤は、良好な弾性特性を提供するように適合される、請求項１から３に記載の方法。
【発明の詳細な説明】
【技術分野】
【０００１】
この発明は、特にＤＶＤ−１４／１８、ＤＶＤ  Ｒ  ＤＬおよび他の多層媒体等の光学ディスクの製造における、光学データ記憶媒体に関する。
【背景技術】
【０００２】
発明の背景
２層片面ＤＶＤ（ＤＶＤ−９等）を製造する一般的な方法は、その各々が情報層を担持する２枚の０．６ｍｍ基板を共に接合することである。二重層ディスクを製造するための別の方法が、いわゆる「２Ｐ処理」である。この２Ｐ処理は、（２枚の）各基板内に１つの層を形成する代わりに、２つの内部情報層を有する単一の基板構造を生じる。このことは、ＤＶＤ−９の製造には必要とされないが、ＤＶＤ１４／１８またはＤＶＤＲ９等の他の多層フォーマットに必要とされる。
【０００３】
関連技術
ＵＳ  ６，１１７，２８４およびＵＳ  ６，３０９，４９６は、２Ｐ処理に関する一般的な情報を記載している。
【０００４】
この２Ｐ処理の第１の工程では、情報層を有する第１の基板が、射出成形により生成されて、フォーマットに適切な層材料でコーティングされる。次に、第２の基板が第２の情報層を有して生成される。この第２の基板は次に、一般にはＵＶ硬化接着剤を用いて第１の基板と接合される。次の工程では、２枚の（接合された）基板が分離され、それにより、第２の基板の情報層のイメージを有するＵＶ樹脂が、第１の基板に完全に残存する筈である。用途に依存して、第２の基板から第１の基板に同様の態様で金属層を転写することも可能である。
【０００５】
良好な刻印の結果および容易な分離を得るために、ＵＶ硬化接着剤および第２の基板の材料の選択が重要である。第１の基板には一般にポリカーボネートが使用される一方で、第２の基板にはＰＭＭＡまたは他の無極性材料が使用される。
【０００６】
しかしながら、第１および第２の基板間で使用されるＵＶ硬化接着剤は、いくつかの要件を満たさなければならない。一方で、当該材料は良好な刻印の結果を生じなければならず、他方で、当該材料は、分離処理の後に第１の基板にかかる機械的応力を最小に抑え、この基板の曲がりを回避しなければならない。硬化中に一般に生じる収縮の過程により、或る量の応力は避けられない。
【０００７】
１つの硬化接着剤を使用することにより良好な複製を得てかつ曲がりを最小限に抑えることが難しいため、接合層は、２つの異なる接着剤を用いて生成され得る。弾性特性が最適化された第１のものを第１の基板上にコーティングし、複製の特性が最適化された第２のものを第２の基板上にコーティングする。好ましくは、第１および第２の接着剤の厚さ比は不等であるべきである。第１の接着剤の厚さは、厚さが増大するにつれて増大する、基板の曲がりに対する第２の接着剤の望ましくない影響を回避するために、最大にされるべきである。一例を挙げると、ＤＶＤ  Ｒ  ＤＬ媒体に対する接合層の、必要とされる厚さは、５０μｍであり、これは第１の基板上に４０μｍの第１の接着剤を配置し、第２の基板上に１０μｍの第２の接着剤を配置し、それらを共に接合することにより生成され得る（たとえば図１参照）。
【発明の開示】
【発明が解決しようとする課題】
【０００８】
ＵＳ  ６，１３６，１３３等に記載される最新の実験では、２つの接着剤が基板上に同時に配置され、次に、１つの硬化工程を用いて共に接合される。この方法は、いくつかの処理工程しか必要としないが、いくつかの欠点を有する。厚さが著しく異なる第１および第２の接着剤を用いた場合、接合処理の高い信頼性およびディスクの外縁の美しさを得ることが難しい。
【課題を解決するための手段】
【０００９】
発明の概要
２つの異なる接着剤を用いる２Ｐ処理に対する最新の解決策の欠点を回避するために、以下の方法を提案する。好ましくは良好な複製の特性を有する第１の接着剤が、適切な基板上にスピンコートされ、第１の硬化工程においてＵＶ光で硬化される。次の工程では、このコーティングされた基板が、第２の接着剤を用いて残りの基板と共に接合される。この工程は、第２の硬化工程によって完了する標準的な接合工程である。
【発明を実施するための最良の形態】
【００１０】
図２により、好ましい一実施例を詳細に示す。ディスク形状の被加工物を生成するためのこの発明の方法は、第１および第２のディスク形状の基板を生成するステップと、当該第１の基板２の平坦な面の１つ上に少なくとも部分的に第１の接着剤１を塗布するステップと、当該第１の接着剤を硬化するステップと、当該第１の基板２または第２の基板４の平坦な面の少なくとも１つ上に少なくとも部分的に第２の接着剤３を塗布するステップと、当該基板を接合して当該ディスク形状の被加工物５を形成するステップとを含む。その後、当該ディスク形状の被加工物は、再び硬化され得る。
【００１１】
この発明は、複合接合層を形成するタスクを、良好に制御され得る２つの工程、すなわち、コーティング処理および接合処理に分離する。それにより、既存の方法にまつわる処理の問題が解消される。接合処理の信頼性および完成したディスクの外縁の美しさが増大する。
【図面の簡単な説明】
【００１２】
【図１】接合処理における先行技術の状況を示す図である。
【図２】この発明の処理の一実施例を示す図である。
【符号の説明】
【００１３】
１  第１の接着剤、２  第１の基板、３  第２の接着剤、４  第２の基板、５  接合された状態の、ディスク形状の被加工物。
【図１】
2007538348.tif 000003
【図２】
2007538348.tif 000004
【国際調査報告】
2007538348.tif 000005
2007538348.tif 000006
(57)【要約】【解決手段】交換可能な銃身を有するライフル銃の銃身（１）固定システムであって、前記システムは銃身ソケット（５）が定位置に挿入されボルト装置によりロックされるロックフレーム（２）から成る。前記ボルト装置はロックフレーム（２）の頂部に設けられた銃身ブロック停止部（４）と、銃身がロック位置に固定される際、前記ブロック停止部に嵌め込み可能である銃身ソケットの溝（６）とから成る。【選択図】なし
2007522426.tif 000002
【特許請求の範囲】
【請求項１】
交換可能な銃身を有するライフル銃の銃身（１）固定システムであって、前記システムは銃身ソケット（５）が定位置に挿入されボルト装置によりロックされるロックフレーム（２）から成り、前記ボルト装置は前記ロックフレームの頂部に設けられた停止部（４）と、銃身がロック位置に固定される際、前記停止部に嵌め込み可能である銃身（１）のソケット（５）の溝（６）とから成る事を特徴とするシステム。
【請求項２】
前記ブロック停止部（４）は別個に強化された弓形の爪であって、前記ロックフレーム（２）に固定され、ロック位置で弓形部が銃身ソケット（５）に形成された溝（６）に配置されることを特徴とする請求項１記載の固定システム。
【請求項３】
前記ブロック停止部（４）に対向する側において、前記ロックフレームはばね（７）が設けられた支持プレート（８）を備え、支持プレートの下には、銃の下側から締められており、ロックフレーム内（２）で銃身ソケット（５）を前記ブロック停止部（４）に対して上方に固定するボルトねじ（９）等の固定装置が設けられていることを特徴とする請求項１又は２記載の固定システム。
【請求項４】
前記ロックフレーム（２）の開口は銃身ソケット（５）がロックフレーム内に小さく角度を付けて押し込むことが可能な形状であり、銃身ソケットの溝（６）のフランジ部（３）は銃身が定位置に固定される前に前記ブロック停止部（４）近くを通過するようになっていることを特徴とする請求項１、２、３の何れかに記載の固定システム。
【請求項５】
前記支持プレート（８）に対して配される銃身ソケット（５）の下側は、銃身（１）が取り付け及び固定される際、軸の周りで正しい角度に配置されるように平面状に加工されることを特徴とする請求項１、２、３、４の何れかに記載の固定システム。
【発明の詳細な説明】
【技術分野】
【０００１】
本発明は交換可能な銃身を有するライフル銃の銃身固定システムに関し、前記システムは銃身ソケットが定位置に挿入されボルト装置でロックされるロックフレームを備える。
【背景技術】
【０００２】
実際の使用により、猟銃の銃身は異なる目的及び口径に応じて交換されることが望ましい。特に小口径ライフルのような口径の小さい銃は、２２ＬＲ、２２ＷｉｎＭａｇ、及び比較的最近発売された型の１７ＨＭＲの３種のカートリッジを含み、これら全てを同じ銃で使用する必要が生ずる。
【発明の開示】
【発明が解決しようとする課題】
【０００３】
従来技術では、銃身は２またはそれ以上の締め付けねじにより銃身ソケットの周囲のスプリットロックフレームに固定される。本発明の目的は交換可能な銃身を有するライフル銃の銃身を固定する新たなタイプのシステムを提供することであり、ロッキングフレームの頂部にある銃身ブロック停止部と、銃身がロック位置に固定される際、前記停止部に嵌め込み可能である銃身ソケット内の溝とを備えるボルト装置により特徴付けられる。
【発明の効果】
【０００４】
本発明により、所望の口径の銃身を有するライフル銃において、迅速で確実かつ簡単な銃身交換が可能になる。万一何らかの理由で銃身が正しい位置に配置されなかった場合、銃の操作システムが動作不能となる。ボルトロックと抽筒子は必ず正しく配置されなければならず、このことは銃身が正しい位置にクランプされる状態の場合にのみ発生する。
【発明を実施するための最良の形態】
【０００５】
銃身１を固定するシステムは、銃身ソケット５が定位置に挿入されボルト装置によりロックされるロックフレーム２から成る。ボルト装置はロックフレーム２の頂部に設けられた銃身１をブロックする停止部４と、銃身がロック位置に固定される際、前記停止部に嵌め込み可能である銃身ソケット５の溝６とから成る。ブロック停止部４はロックフレーム２に固定されている別個に強化された弓形の爪である。ロック状態では弓形部が銃身１のソケット５に形成された溝６に嵌め込まれ、前方への移動を阻止する。ブロック停止部４に対向する側では、ロックフレーム２がばね７を設けた支持プレート９を備え、その下ではロックフレーム内で銃身のソケット５をブロック停止部４に対して上方に固定するねじ９が設けられている。ロックフレーム２の開口は銃身ソケット５をロックフレーム２内に小さく角度を付けて押し込むことが可能な形状であり、銃身ソケットの溝のフランジ部３は銃身が定位置に固定される前にブロック停止部近くを通過するようになっている。支持プレート８に対して配される銃身ソケット５の下側は、銃身が取り付け及び固定される際、軸の周りで正しい角度に配置されるように平面状に加工されている。銃身ソケットにかかる圧縮力はロックするねじ９が締められるとより標準的な大きさとなる。銃身の交換には、標準の六角形の鍵のような単一の道具が必要なだけである。
本発明を以下の実施例により、添付の図面を参照して説明する。
【図面の簡単な説明】
【０００６】
【図１】銃の銃身の取り付けを示す。
【図２】銃の銃身の取り付けを示す。
【図３】銃の銃身の取り付けを示す。
【図４】図２と同じ、ロックフレームの一部拡大及び断面図を示す。
【図５】図４の一部で、銃身がロックされた状態を示す。
【図１】
2007522426.tif 000003
【図２】
2007522426.tif 000004
【図３】
2007522426.tif 000005
【図４】
2007522426.tif 000006
【図５】
2007522426.tif 000007
【国際調査報告】
2007522426.tif 000008
2007522426.tif 000009
(57)【要約】【課題】治療コストの低い冠動脈疾患治療器を提供する。【解決手段】コストの低い冠動脈疾患治療器である。光子手袋、心臓保護板及び光子手袋と心臓保護板の制御に用いる機器を含み、この三者の間は電性接続している。該光子手袋には、親指以外の４本の指を入れる４つの穴、３本の光子器固定ベルト及び光子器固定ベルトを貼り付けるのに用いるベルクロテープがあり、該光子器固定ベルトの一端は光子手袋の表側に固定され、その上に３つの光子発生器があり、該ベルクロテープは光子手袋の裏側にある。従来の技術に比べ、本発明のコストは低く、使いやすく、家庭で予防治療に用いることができる。【選択図】図１
2007522849.tif 000002
【特許請求の範囲】
【請求項１】
光子手袋と、心臓保護板と、光子手袋及び心臓保護板の制御に用いる機器とを備え、
前記光子手袋、前記心臓保護板、及び前記機器の相互間は電気的に接続されており、
前記光子手袋には、親指以外の４本の指を挿入可能な４つの穴、３本の光子器固定ベルト、及び前記光子器固定ベルトを貼り付けるのに用いるベルクロテープが設けられ、
前記光子器固定ベルトの一端は前記光子手袋の表側に固定され、その上に３つの光子発生器が設けられ、
前記ベルクロテープは前記光子手袋の裏側にあることを特徴とする冠動脈疾患治療器。
【請求項２】
前記機器は、パネルを有し、
前記パネルは、電源スイッチ、作業確認ボタン、心臓保護板作業ボタン及びモニターを有することを特徴とする請求項１記載の冠動脈疾患治療器。
【請求項３】
光子信号ケーブル及び熱発生導線をさらに備え、
前記光子信号ケーブル及び前記熱発生導線は、それぞれ前記光子手袋と前記機器、及び前記心臓保護板と前記機器とを接続していることを特徴とする請求項２記載の冠動脈疾患治療器。
【請求項４】
前記機器は、光子信号ケーブルジャック及び熱発生導線ジャックを有し、
前記光子手袋は、光子信号ケーブルジャックを有し、
前記心臓保護板は、熱発生導線ジャックを有し、
前記光子信号ケーブルは、前記機器の光子信号ケーブルジャックと前記光子手袋の光子信号ケーブルジャックとを接続し、
前記熱発生導線は、前記機器の熱発生導線ジャックと前記心臓保護板の熱発生導線ジャックとを接続していることを特徴とする請求項３記載の冠動脈疾患治療器。
【発明の詳細な説明】
【技術分野】
【０００１】
本発明は、医療機器、特に冠動脈疾患治療器に関する。
【背景技術】
【０００２】
心血管病は、人類の健康にとって一番の死因である。現在、一般薬物の治療効果はよくなく、病状が重大な場合、介入治療を行なう必要がある。介入治療の手術費用は、一般大衆には受け入れがたいものであり、かつＰＴＣＡ（経皮的冠動脈形成術）後、６ヵ月以内に再発することがよくあり、発生率は３０〜５０％にも達し、介入治療が直面する重要な課題となっている。
【発明の開示】
【発明が解決しようとする課題】
【０００３】
本発明の目的は、治療コストの低い冠動脈疾患治療器を提供することである。
【課題を解決するための手段】
【０００４】
本発明の目的は、次のように実現される。冠動脈疾患治療器は、光子手袋と、心臓保護板と、光子手袋及び心臓保護板の制御に用いる機器とを備え、前記光子手袋、前記心臓保護板、及び前記機器の相互間は電気的に接続されており、前記光子手袋には、親指以外の４本の指を挿入可能な４つの穴、３本の光子器固定ベルト、及び前記光子器固定ベルトを貼り付けるのに用いるベルクロテープが設けられ、前記光子器固定ベルトの一端は前記光子手袋の表側に固定され、その上に３つの光子発生器が設けられ、前記ベルクロテープは前記光子手袋の裏側にある。
【発明の効果】
【０００５】
従来の技術に比べ、本発明のコストは低く、使いやすく、家庭で予防治療に用いることができる。
【発明を実施するための最良の形態】
【０００６】
図１から図３まで示すように、冠動脈疾患治療器には、機器１、光子手袋９、心臓保護板１２、充電整流器１８が含まれる。光子手袋９及び心臓保護板１２は、それぞれ光子信号ケーブル１６と熱発生導線１７とを経由して、機器１と電気的に接続している。
【０００７】
機器１は、光子手袋９及び心臓保護板１２の制御に用いられる。該機器１内には駆動回路、光子出力制御回路、時間制御回路、充電回路、充電バッテリがある。また、機器１のパネルには、電源スイッチ２、作業確認ボタン３、心臓保護板作業ボタン４、光子信号ケーブルジャック５、熱発生導線ジャック６及びモニター８が含まれる。
【０００８】
光子手袋９には４つの穴があり、親指以外の４本の指を入れるのに用い、３本の光子器固定ベルト１５の一端は光子手袋９の表側に固定され、その上に３つの光子発生器１１がある。また、光子手袋９には、光子信号ケーブルジャック１０及びベルクロテープ１４がある。該ベルクロテープ１４は光子手袋９の裏側にあり、光子器固定ベルト１５を貼り付けるのに用いられる。
心臓保護板１２には、熱発生導線ジャック１３が含まれる。
【０００９】
図１から図５まで示すように、使用時には４本の指を光子手袋９に入れ、光子器固定ベルト１５を指の間から手の甲に向けて折り返し、ベルクロテープ１４に固定する。このとき、光子発生器１１はそれぞれ指の間の皮膚のつぼに当たっている。光子信号ケーブル１６を機器１の光子信号ケーブルジャック５と光子手袋９の光子信号ケーブルジャック１０とに差し込む。熱発生導線１７を用いて、機器１の熱発生導線ジャック６と心臓保護板１２の熱発生導線ジャック１３とを接続する。機器１の電源スイッチ２を入れ、確認ボタン３と心臓保護板作業ボタン４とを起動させると、光子発生器１１が発光し、皮膚のつぼに照射を行なう。心臓保護板１２が発熱し、心臓の前のエリアにぴったりと貼り付く。
【００１０】
機器１に電気がなくなった場合、充電整流器１７を電源に差し、充電を行なうことができる。
【図面の簡単な説明】
【００１１】
【図１】本発明の実施形態を示す使用状態図。
【図２】本発明の実施形態による光子手袋を示す概略図。
【図３】本発明の実施形態による心臓保護板を示す概略図。
【図４】本発明の実施形態による光子手袋の使用状態を示す概略図。
【図５】本発明の実施形態による光子手袋の使用状態を示す概略図。
【図１】
2007522849.tif 000003
【図２】
2007522849.tif 000004
【図３】
2007522849.tif 000005
【図４】
2007522849.tif 000006
【図５】
2007522849.tif 000007
【国際調査報告】
2007522849.tif 000008
2007522849.tif 000009
2007522849.tif 000010
2007522849.tif 000011
(57)【要約】上下に配置される２つの部分跳ね戸（３、４）を備えた折り畳み跳ね戸（２）を持つ戸棚式家具。上部分跳ね戸（３）は家具本体（１）に揺動可能に枢着され、下部分跳ね戸（４）は上部分跳ね戸（３）に揺動可能に枢着される。両方の部分跳ね戸（３、４）間の回転軸（１３）は、部分跳ね戸（３、４）の壁厚（Ｓ）の範囲内にある。下跳ね戸（４）の下縁（１６）の下部分跳ね戸（４）の瞬間回転中心（２０）の距離は、閉鎖した折り畳み跳ね戸（２）では、下部分跳ね戸（４）の高さ（ｈ）の少なくとも２５％である。【選択図】図３
2007522364.tif 000002
【特許請求の範囲】
【請求項１】
上下に配置される少なくとも本質的に同じ高さの２つの部分跳ね戸を備えた折り畳み跳ね戸を持つ戸棚式家具において、上部分跳ね戸は家具本体に揺動可能に枢着され、下部分跳ね戸は上部分跳ね戸に枢着され、両方の部分跳ね戸（３、４）間の回転軸（１３）は両方の前記部分跳ね戸（３、４）の一方の壁厚さ（Ｓ）の範囲内だけにあることを特徴とする戸棚式家具。
【請求項２】
両方の前記部分跳ね戸（３、４）間には、ヒンジアーム（１０）とヒンジ壷（１１）とを備えた少なくとも１つのヒンジ（９）が配置され、前記ヒンジアーム（１０）は一方の部分跳ね戸（４）に配置され、前記ヒンジ壷（１１）は他方の部分跳ね戸（３）内に嵌めこまれることを特徴とする請求項１に記載の戸棚式家具。
【請求項３】
上下に配置される少なくとも本質的に同じ高さの２つの部分跳ね戸を備えた折り畳み跳ね戸を持つ戸棚式家具において、上部分跳ね戸は家具本体に揺動可能に枢着され、下部分跳ね戸は上部分跳ね戸に枢着され、回転軸を介して下部分跳ね戸と連結され、家具側壁で支持される調整アームと、折り畳み跳ね戸を開くため下部分跳ね戸に設けられた取っ手とを備え、前記取っ手は回転軸（１４）の下にあり、前記回転軸は調整アーム（６）を下部分跳ね戸（４）と連結し、前記取っ手は下部分跳ね戸（４）の下縁（１６）により形成されることを特徴とする戸棚式家具。
【発明の詳細な説明】
【技術分野】
【０００１】
本発明は、上下に配置されて少なくとも本質的に同じ高さの２つの部分跳ね戸を備えた折り畳み跳ね戸を持つ戸棚式家具に関し、その際、上部分跳ね戸は家具本体に揺動可能に枢着され、下部分跳ね戸は上部分跳ね戸に揺動可能に枢着される。 
【背景技術】
【０００２】
さらに、本発明は、上下に配置されて少なくとも本質的に同じ高さの２つの部分跳ね戸を備えた折り畳み跳ね戸を持つ戸棚式家具に関し、その際、上部分跳ね戸は家具本体に揺動可能に枢着され、下部分跳ね戸は上部分跳ね戸に揺動可能に枢着され、回転軸を介して下部分跳ね戸と連結されて家具側壁で支持される調整アームと、折り畳み跳ね戸を開くための下部分跳ね戸に設けられる取っ手とを備えた戸棚式家具に関するものである。
【発明の開示】
【発明が解決しようとする課題】
【０００３】
本発明の課題は、折り畳み跳ね戸の嵩高跳ね戸が容易にされるように、最初に述べた種類の戸棚式家具を改良することである。
【課題を解決するための手段】
【０００４】
本発明による課題は、両方の部分跳ね戸間の回転軸が、両方の部分跳ね戸の一方だけの壁厚さ範囲内にあることにより解決される。
【０００５】
本発明の実施例では、取っ手が調整アームを下部分跳ね戸と連結する回転軸の下にあり、取っ手が前記下部分跳ね戸の下縁により形成されるように設けられる。
【０００６】
次に、添付図面に基づき本発明の異なる実施例を説明する。
【実施例１】
【０００７】
図面は、それぞれ、前が折り畳み跳ね戸２でカバーされる家具本体１を有する戸棚を示す。前記折り畳み跳ね戸２は２つの部分跳ね戸３、４から成る。上部分跳ね戸３はヒンジ１８により前記家具本体１の上床５に取付けられ、下部分跳ね戸４は前記上部分跳ね戸３に取付けられる。前記下部分跳ね戸４は、その下縁近く、詳細には軸１４の場所で家具側壁８に取付けられる家具調整ユニット７に枢着される。図示の実施例では、前記部分跳ね戸３、４はヒンジ９により相互に連結される。
【０００８】
前記ヒンジ９は単軸ヒンジとして構成され、通常のようにヒンジアーム１０とヒンジ壷１１を有する。図示の実施例では、前記ヒンジ壷１１は前記上部分跳ね戸３内に嵌め込まれ、前記ヒンジアーム１０は前記下部分跳ね戸４に取付けられる。全く同じく、反対の配置もできるであろう。
【０００９】
図示の実施例において、前記ヒンジアーム１０には、閉鎖された前記折り畳み跳ね戸２では前記上部分跳ね戸３に当る台座１２が構成される。前記台座１２は、閉鎖された前記折り畳み跳ね戸２となる場合に前記部分跳ね戸３、４が内方へ折れるのを防止する。
【００１０】
両方の前記部分跳ね戸３、４の回転軸を形成するヒンジの軸１３は、前記部分跳ね戸３、４の壁厚さＳの範囲内にあり、すなわち、前記軸１３は前記部分跳ね戸３内にある。前記下部分跳ね戸４の下縁１６の近くには、前記折り畳み跳ね戸２を開く取っ手を形成するグリップ１５が取付けられる。前記折り畳み跳ね戸２を開く取っ手は前記下縁１６により直接に形成することもでき、その際、前記下部分跳ね戸４は前記家具本体１の下床１７を越えて突出しなければならないであろう。
【図面の簡単な説明】
【００１１】
【図１】開いた折り畳み跳ね戸を備えた家具の図を示す。
【図２】閉鎖した折り畳み跳ね戸を備えた家具の図を示す。
【図３】閉鎖位置での２つの部分跳ね戸を備えた家具の側面図を示す。
【図４】図３の切断部分を示す。
【図５】開いた折り畳み跳ね戸を備えた家具の概要で示される側面図を示す。
【図６】図５切断部分を示す。
【符号の説明】
【００１２】
１    家具本体
２    折り畳み跳ね戸
３    上部分跳ね戸
４    下部分跳ね戸
６    調整アーム
８    家具側壁
９    ヒンジ
１０    ヒンジアーム
１２    台座
【図１】
2007522364.tif 000003
【図２】
2007522364.tif 000004
【図３】
2007522364.tif 000005
【図４】
2007522364.tif 000006
【図５】
2007522364.tif 000007
【図６】
2007522364.tif 000008
【手続補正書】
【提出日】平成18年9月25日(2006.9.25)
【手続補正１】
【補正対象書類名】図面
【補正対象項目名】図１
【補正方法】変更
【補正の内容】
【図１】
2007522364.tif 000009
【手続補正２】
【補正対象書類名】図面
【補正対象項目名】図２
【補正方法】変更
【補正の内容】
【図２】
2007522364.tif 000010
【手続補正３】
【補正対象書類名】図面
【補正対象項目名】図５
【補正方法】変更
【補正の内容】
【図５】
2007522364.tif 000011
【国際調査報告】
2007522364.tif 000012
2007522364.tif 000013
2007522364.tif 000014
2007522364.tif 000015
2007522364.tif 000016
2007522364.tif 000017
2007522364.tif 000018
2007522364.tif 000019